Podtech/llm-jp-corpus-v4-ja_patent huggingface dataset:
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
各種遊技部品が設けられた遊技機本体と、該遊技機本体の前面側を覆うように開閉可能に配置された前面扉と、弾球が飛翔する遊技領域を前方から視認できるように前記前面扉に形成された窓部に配置された透明板組立体と、を備え、
該透明板組立体は、複数枚の透明板と、それら各透明板の外周部を固定する枠体と、前記枠体と前記各透明板とによって囲まれた密閉空間の水分を吸着する吸湿体と、を備えた遊技機において、
前記枠体を一体成形にて形成すると共に、該枠体及び前記各透明板を、少なくとも一部が前記窓部より外方に拡張された拡張部分を有する形状とし、
前記枠体の内周端より内周側の前記各透明板に挟まれた位置であって前記密閉空間内の前記拡張部分に前記吸湿体を配置することにより、前記前面扉を前記遊技機本体より開放したときに前記透明板を通じて前記吸湿体が視認可能となるよう構成し、
前記各透明板のうち前記遊技領域側に配置される遊技領域側透明板を合わせガラス構造としたことを特徴とする遊技機。
【請求項２】
各種遊技部品が設けられた遊技機本体と、該遊技機本体の前面側を覆うように開閉可能に配置された前面扉と、弾球が飛翔する遊技領域を前方から視認できるように前記前面扉に形成された窓部に配置された透明板組立体と、を備え、
該透明板組立体は、複数枚の透明板と、それら各透明板の外周部を固定する枠体と、前記枠体と前記各透明板とによって囲まれた密閉空間の水分を吸着する吸湿体と、を備えた遊技機において、
前記枠体を一体成形にて形成すると共に、該枠体及び前記各透明板を、少なくとも一部が前記窓部より外方に拡張された拡張部分を有する形状とし、
前記枠体の内周端より内周側の前記各透明板に挟まれた位置であって前記密閉空間内の前記拡張部分に前記吸湿体を配置することにより、前記前面扉を前記遊技機本体より開放したときに前記透明板を通じて前記吸湿体が視認可能となるよう構成し、
前記各透明板のうち前記遊技領域側に配置される遊技領域側透明板を合わせガラス構造とすると共に、前記枠体の外周側には前記前面扉へ取り付けるための取付部を複数設け、各取付部を非対称な関係となるように配置したことを特徴とする遊技機。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
静磁場空間に配置された被検体に対して傾斜磁場及び高周波パルスを繰り返し印加し、当該傾斜磁場及び高周波パルスの各印加によって当該被検体の心臓に発生する磁気共鳴信号を受信する撮影動作を実行する撮影手段と、
前記傾斜磁場及び前記高周波パルスの各印加において、前記高周波パルス周波数を順次変化させるように前記撮影手段を制御する制御手段と、
前記撮影動作により受信した前記磁気共鳴信号を用いて画像再構成を実行し、前記高周波パルス周波数の順次変化に対応する複数の断層に関して、時相毎に複数の第１の画像を得る画像再構成手段と、
同一時相の前記第１の画像における前記被検体の心臓を複数の小領域に分割することで展開し、当該小領域のそれぞれにおける画素値の平均値を表す第１の展開図を時相毎に生成する画像生成手段と、
時相毎の前記第１の展開図を所定の形態にて表示する表示手段と、
を具備することを特徴とする磁気共鳴イメージング装置。
【請求項２】
時相毎の前記第１の展開図に基づく診断情報を生成する診断情報生成手段をさらに具備することを特徴とする請求項１記載の磁気共鳴イメージング装置。
【請求項３】
前記診断情報生成手段は、時相毎の前記第１の展開図に基づいて、前記複数の小領域の少なくとも一つにおいて、画素値の平均値の時間的変化を示すダイナミックカーブを生成し、
前記表示手段は、前記診断情報生成手段によって生成された前記ダイナミックカーブを表示すること、を特徴とする請求項１又は２記載の磁気共鳴イメージング装置。
【請求項４】
前記診断情報生成手段は、
時相毎の前記第１の展開図に基づいて、前記複数の小領域のそれぞれにおいて、画素値の平均値の時間的変化を示すダイナミックカーブを生成し、
生成された前記複数の小領域における前記ダイナミックカーブに基づいて、各小領域の信号最大値、最大勾配、最大勾配までの時間、平均信号値その他の特性値を計算し、
前記各小領域における前記特性値を表す第２の展開図を時相毎に生成し、
前記表示手段は、前記診断情報生成手段によって計算された時相毎の前記第２の展開図を表示すること、を特徴とする請求項１又は２記載の磁気共鳴イメージング装置。
【請求項５】
前記表示手段は、前記時相毎の前記第１の展開図又は時相毎の前記第２の展開図を、時系列に従って連続的に表示することを特徴とする請求項１乃至４のうちいずれか一項記載の磁気共鳴イメージング装置。
【請求項６】
静磁場空間に配置された被検体に対して傾斜磁場及び高周波パルスを繰り返し印加し、且つ前記高周波パルス周波数を順次変化させるように印加するパルスシーケンスに従う撮影により、当該被検体の心臓に発生する磁気共鳴信号を収集して得られる磁気共鳴データを記憶する記憶手段と、
前記磁気共鳴データを用いて画像再構成を実行し、前記高周波パルス周波数の順次変化に対応する複数の断層に関して、時相毎に複数の第１の画像を得る画像再構成手段と、
同一時相の前記第１の画像における前記被検体の心臓を複数の小領域に分割することで展開し、当該小領域のそれぞれにおける画素値の平均値を表す第１の展開図を時相毎に生成する画像生成手段と、
時相毎の前記第１の展開図を所定の形態にて表示する表示手段と、を具備することを特徴とする磁気共鳴データ処理装置。
【請求項７】
コンピュータに、
静磁場空間に配置された被検体に対して傾斜磁場及び高周波パルスを繰り返し印加し、且つ前記高周波パルス周波数を順次変化させるように印加するパルスシーケンスに従う撮影により、当該被検体の心臓に発生する磁気共鳴信号を収集して得られる磁気共鳴データを用いて画像再構成を実行し、前記高周波パルス周波数の順次変化に対応する複数の断層に関して、時相毎に複数の第１の画像を得る画像再構成機能と、
同一時相の前記第１の画像における前記被検体の心臓を複数の小領域に分割することで展開し、当該小領域のそれぞれにおける画素値の平均値を表す第１の展開図を時相毎に生成する画像生成機能と、
時相毎の前記第１の展開図を所定の形態にて表示する表示機能と、
を実現されるための磁気共鳴データ処理プログラム。
【手続補正２】
【補正対象書類名】明細書
【補正対象項目名】発明の名称
【補正方法】変更
【補正の内容】
【発明の名称】磁気共鳴イメージング装置、磁気共鳴データ処理装置及び磁気共鳴データ処理プログラム
【手続補正３】
【補正対象書類名】明細書
【補正対象項目名】０００７
【補正方法】変更
【補正の内容】
【０００７】
本発明は、上記事情を鑑みてなされたもので、心電信号を使用しないで、心筋への血流動態の情報を与えることができる磁気共鳴イメージング装置、磁気共鳴データ処理装置及び磁気共鳴データ処理プログラムを提供することを目的としている。
【手続補正４】
【補正対象書類名】明細書
【補正対象項目名】００１１
【補正方法】削除
【補正の内容】
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
遊技領域を有する本体枠と、その本体枠の前面側に設けられ且つ前記遊技領域を臨む窓部を有する窓枠と、前記窓枠の前面の少なくとも一部を覆うように配設される装飾枠とを備えた遊技機であって、
前記装飾枠は、前記窓枠側へ突設された立脚部を有すると共に、全体が四方連携状に形成されたことを特徴とする遊技機。
【請求項２】
前記装飾枠は、前記窓枠の窓部を介して前記遊技領域を臨む開口部が設けられると共に、その開口部を囲んで四方連携状に形成されたこと請求項１に記載の遊技機。
【請求項３】
前記装飾枠の開口部は、正面視で前記窓枠の窓部に一部が重なるように形成されたことを特徴とする請求項２に記載の遊技機。
【請求項４】
前記装飾枠は、少なくとも各コーナー近傍に前記立脚部が設けられたことを特徴とする請求項１乃至３のいずれかに記載の遊技機。
【請求項５】
前記装飾枠は、前記窓枠又は前記本体枠に対して開閉自在に取り付けられたことを特徴とする請求項１乃至４のいずれかに記載の遊技機。
【請求項６】
前記装飾枠は、前記窓枠に対して取り付けられたことを特徴とする請求項１乃至５のいずれかに記載の遊技機。
【請求項７】
前記装飾枠には、電気部品が配設されたことを特徴とする請求項１乃至６のいずれかに記載の遊技機。
【請求項８】
前記装飾枠は、装飾枠本体と、その装飾枠本体を支持するフレーム状のベース部材とを備えたことを特徴とする請求項１乃至７のいずれかに記載の遊技機。
【請求項９】
前記装飾枠は、前方へ張り出し且つ前記窓枠との間に空間部を有する張出し部を備えたことを特徴とする請求項１乃至８のいずれかに記載の遊技機。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、  
前記Ｘ線源より照射されるＸ線の照射領域を制限するＸ線絞りと、  
前記Ｘ線源と対向配置され前記被検体の透過Ｘ線を画像データとして出力するＸ線平面検出器と、  
前記Ｘ線平面検出器より出力される画像データを表示する表示手段とを備えたＸ線画像診断装置において、  
前記Ｘ線平面検出器より出力される画像データを記憶する画像記憶手段と、  
前記画像記憶手段に記憶されている画像データより前記Ｘ線絞り挿入領域を算出する絞り挿入領域算出手段と、  
前記絞り挿入領域算出手段によって算出された絞り挿入領域へ前記Ｘ線絞りを挿入制御する絞り制御手段と、を備えたことを特徴とするＸ線画像診断装置。  
【請求項２】
前記絞り挿入領域算出手段は、前記Ｘ線平面検出器より出力される画像データと、前記画像記憶手段に記憶されている過去画像との画素ごとの差分を求めることによって、前記Ｘ線絞りの挿入領域を算出することを特徴とする請求項１に記載のＸ線画像診断装置。  
【請求項３】
前記絞り挿入領域算出手段は、前記画像記憶手段に記憶されている画像データより、対象オブジェクトを認識検出することによって、その認識位置に基づいて前記Ｘ線絞りの挿入領域を算出することを特徴とする請求項１に記載のＸ線画像診断装置。  
【請求項４】
前記絞り挿入領域算出手段は、前記Ｘ線平面検出器より順次出力され前記画像記憶手段に記憶されている画像データより、前記Ｘ線絞り挿入領域を順次算出し、前記Ｘ線絞り挿入領域が変化した場合に、前記絞り制御手段によって、前記Ｘ線絞りの挿入位置を順次変更することを特徴とする請求項１に記載のＸ線画像診断装置。  
【請求項５】
前記絞り挿入領域算出手段は、前記Ｘ線平面検出器より順次出力され前記画像記憶手段に記憶されている画像データより算出した対象オブジェクトが、前記Ｘ線絞り挿入領域外へ移動した場合に、前記絞り制御手段によって、前記Ｘ線絞りを退避することを特徴とする請求項１に記載のＸ線画像診断装置。  
【請求項６】
前記被検体を寝載する天板と、  
前記Ｘ線源と前記Ｘ線平面検出器を支持する支持器と、  
前記天板および前記支持器からの動作信号を検出する天板・支持器動作検出手段と、を備え、前期絞り挿入領域算出手段は、前記天板・支持器動作検出手段からの指示によって前記画像記憶手段に記憶されている画像データより前記Ｘ線絞り挿入領域を順次算出することを特徴とする請求項１に記載のＸ線画像診断装置。  
【請求項７】
前記天板・支持器動作検出手段は、前記天板および前記支持器の動作が行われていないときに、前記絞り挿入領域算出手段に対して、前記Ｘ線絞り挿入領域を算出するように指示することを特徴とする請求項６に記載のＸ線画像診断装置。
【手続補正２】
【補正対象書類名】明細書
【補正対象項目名】０００４
【補正方法】変更
【補正の内容】
【０００４】
本発明のX線画像診断装置は、被検体にX線を照射するX線源と、前記X線源より照射されるX線の前記被検体への照射領域を制限するX線絞りと、前記X線源と対向配置され前記被検体の透過X線を画像データとして出力するX線平面検出器と、前記X線平面検出器より出力される画像データを表示する表示手段とを備えたX線画像診断装置において、前記X線平面検出器より出力される画像データを記憶する画像記憶手段と、前記画像記憶手段に記憶されている画像データより前記X線絞り挿入領域を算出する絞り挿入領域算出手段と、前記絞り挿入領域算出手段によって算出された絞り挿入領域へ前記X線絞りを挿入制御する絞り制御手段と、を備えたことを特徴とする。
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
ゴルフクラブのフェース面のスイートスポットに相当する位置にゴルフボール直径以上の穴をあけ、スイング時、ゴルフボールが本来当たらなければならないスイートスポットを通過した時のみ空振りとなるフェースの最下部に位置するリーディングエッジを有してなることを特徴とする練習用ゴルフクラブ。
【手続補正２】
【補正対象書類名】明細書
【補正対象項目名】全文
【補正方法】変更
【補正の内容】
【発明の詳細な説明】
【発明の名称】練習用ゴルフクラブ
【技術分野】
【０００１】
本発明は、ゴルフプレイヤーが常にナイスショットを打つ為に自分自身が目指す動きをしっかりとイメージし、それに焦点を合わせ意識を集中させる為の練習用ゴルフクラブに関するものである。
【背景技術】
【０００２】
従来、弾道を確認することを練習目的とし、前に飛ばす事のみ考え、力任せにスイングした結果、いつまで経っても初級プレイヤーのままの人がいる。
【発明の開示】
【発明が解決しようとする課題】
【０００３】
本発明は、このような問題点を解決するためになされたものであって、前に飛べば間違ったスイング、飛ばなければ正しいスイングと、今までとは逆のパターンを練習することにより、自分が目指すスイングイメージを獲得する練習用ゴルフクラブを提供することを目的とするものである。
【課題を解決するための手段】
【０００４】
本発明に係る練習用ゴルフクラブの特徴は、ゴルフクラブのフェース面のスイートスポットに相当する位置にゴルフボール直径以上の穴をあけ、フェースの最下部に位置するリーディングエッジを有してなる点にある。
【発明の効果】
【０００５】
本発明によれば、弾道を確認しなくても、本来ボールか当たらなければならない部分つまりフェースのスイートスポットをくりぬけば、正しいスイングであればボールをフェースがくぐりぬけ、ボールは前に飛ばないことになる。逆にボールが前に飛ぶということは、スイートスポット以外に触れたこととなり正しくないスイングと確認できる。よって、前に飛べば間違ったスイング、飛ばなければ正しいスイングと、今までとは逆のパターンを練習することにより、自分が目指すスイングイメージを獲得することができる。  
【発明を実施するための最良の形態】
【０００６】
本発明に係る練習用ゴルフクラブの一実施形態について図１及び図２を参照しつつ説明する。
【０００７】
図１に示すように、本実施形態の練習用ゴルフクラブは、ゴルフクラブのフェース面のスイートスポットに相当する位置にゴルフボールの直径以上の穴（空洞）２をあけ、フェースの最下部にリーディングエッジ１を形成してなる。
【０００８】
本実施形態の練習用ゴルフクラブの打ち方としては、図２に示すように、力まず、フェースの最下部のリーディングエッジ１をボールに潜らせるように、または、ボールをリーディングエッジ１で縄跳びをさせるようなイメージでスイングすることが肝要である。
【０００９】
スイング時、ゴルフボールが本来当たらなければならないスイートスポットを通過した時のみ空振りとなり、ボールは前に飛ばないことになる。逆にボールが前に飛ぶということは、スイートスポット以外に触れたこととなり正しくないスイングと確認できる。
【００１０】
こうすれば、ゴルフプレイヤーが常にナイスショットを打つ為に自分自身が目指す動きをしっかりとイメージし、それに焦点を合わせ意識を集中させることができ、今まで、前に飛ばす事のみ考え、力任せにスイングした結果、いつまで経っても初級プレイヤーだった人も、正しいゴルフクラブの使い方を身に付け、自分自身のスイングを短期間で確立できる様になる。
【図面の簡単な説明】
【００１１】
【図１】ゴルフクラブのフェースの構造である
【図２】ゴルフクラブの打ち方である
【符号の説明】
【００１２】
１  リーディングエッジ
２  空洞(穴)
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
胴体と、
胴体と一体に設けられ、挿入穴に挿入可能な大きさの先端部と、
前記先端部の先端、又は、外周部に設けられたツメとを含み、
前記胴体および先端部の一部又は全ては、ゴムおよびシリコーンを含む気密性伸縮素材より成るとともに、内部が一体空間部と成っていることを特徴とする掻き出し具。
【請求項２】
前記ツメは中空であることを特徴とする請求項１に記載の掻き出し具。
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
水性溶媒中に、治療目的に利用可能な薬剤化合物を所定濃度で含有する液剤を噴霧する方法であって、
該液剤は、前記薬剤化合物に加えて、疎水性の矯臭成分および／または疎水性の嬌味成分を水性溶媒中に均一に分布した状態で含有し、
前記液剤の噴霧は、サーマルインクジェット方式によって該液剤の微小液滴を吐出させ、霧状とすることで行う
ことを特徴とする噴霧方法。
【請求項２】
前記液剤中には、前記薬剤化合物、ならびに前記矯臭成分および嬌味成分を水性溶媒中に均一に分布させるための添加剤が含まれている
ことを特徴とする請求項１に記載の噴霧方法。
【請求項３】
サーマルインクジェット方式によって吐出される微小液滴は、サブピコリットル以下の液滴量を有する
ことを特徴とする請求項１または２に記載の噴霧方法。
【請求項４】
請求項１に記載の噴霧方法を適用して、水性溶媒中に、治療目的に利用可能な薬剤化合物を所定濃度で含有する液剤の噴霧に利用可能な噴霧装置であって、
前記液剤を収納するタンクと、
サーマルインクジェット方式によって該液剤の微小液滴を吐出させることが可能な、サーマルインクジェット・ヘッドと、
前記タンクからサーマルインクジェット・ヘッドへ前記液剤を供給する手段とを具備した液体噴霧用カートリッジの構成をとる
ことを特徴とする噴霧装置。
【請求項５】
水性溶媒中に、治療目的に利用可能な薬剤化合物を所定濃度で含有する液剤を噴霧し、該液剤の噴霧を投与対象者に吸入させるための吸入装置であって、
前記液剤の噴霧を行う噴霧機構として、前記請求項４に記載の噴霧装置を用い、
該噴霧機構で発生される、前記液剤の微小液滴が霧状に浮遊する気体を、前記投与対象者に吸入させる吸入機構を、前記噴霧機構に付設する装置構成を有する
ことを特徴とする吸入装置。
【請求項６】
サーマルインクジェット方式によって吐出させ、霧状とするために用いられる薬剤化合物を含有する噴霧用液剤組成物であって、
該液剤組成物は、
前記薬剤化合物、
疎水性の嬌臭成分および／または疎水性の嬌味成分、
水性溶媒、
前記疎水性の嬌臭成分および／または疎水性の嬌味成分を前記水性溶媒中に均一に分布させるための添加剤、を含む
ことを特徴とする液剤組成物。
【請求項７】
前記添加剤は、界面活性剤を含む
ことを特徴とする請求項６に記載の液剤組成物。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
内視鏡挿入部に湾曲可能に設けられた湾曲部を備え、この湾曲部に設けられた前記湾曲部を駆動するためのルーメンに、流体供給源から供給される流体を、流体圧回路を介して送り込み、前記湾曲部を湾曲させることにより、前記内視鏡挿入部を所望の方向に向けて被検対象を観察する内視鏡装置において、
前記流体圧回路は、
前記流体供給源に接続された湾曲調整用電磁弁と、
前記湾曲調整用電磁弁に接続された複数の流体供給管路と、
前記流体供給管路のそれぞれに接続された湾曲用電磁弁と、
前記湾曲用電磁弁のそれぞれに設けられ、前記ルーメン内の流体を大気に開放する自動開放手段と、
を具備することを特徴とする内視鏡装置。
【請求項２】
前記自動開放手段は、
前記湾曲用電磁弁に設けられた開放ポートであり、
この開放ポートは、
電気遮断時に付勢手段により復帰して、前記ルーメンに連通されたポートを大気に開放することを特徴とする請求項１に記載の内視鏡装置。
【手続補正２】
【補正対象書類名】明細書
【補正対象項目名】０００６
【補正方法】変更
【補正の内容】
【０００６】
上記課題を解決するために、本発明は以下の手段を提供する。
請求項１に係る発明は、内視鏡挿入部に湾曲可能に設けられた湾曲部を備え、この湾曲部に設けられた前記湾曲部を駆動するためのルーメンに、流体供給源から供給される流体を、流体圧回路を介して送り込み、前記湾曲部を湾曲させることにより、前記内視鏡挿入部を所望の方向に向けて被検対象を観察する内視鏡装置において、前記流体圧回路は、前記流体供給源に接続された湾曲調整用電磁弁と、前記湾曲調整用電磁弁に接続された複数の流体供給管路と、前記流体供給管路のそれぞれに接続された湾曲用電磁弁と、前記湾曲用電磁弁のそれぞれに設けられ、前記ルーメン内の流体を大気に開放する自動開放手段と、を具備することを特徴とする。
【手続補正３】
【補正対象書類名】明細書
【補正対象項目名】０００７
【補正方法】変更
【補正の内容】
【０００７】
この発明に係る内視鏡装置においては、流体供給源から供給される流体を、流体圧回路を介してルーメンに送り込むことにより、前記湾曲部が湾曲する。そのため、電気が遮断されたとしても、自動開放手段により、ルーメンが自動的に大気に開放される。これにより、湾曲部の湾曲状態が直ちに解除される。
以上より、内視鏡挿入部を被検体内から迅速かつ容易に引き出すことができる。
【手続補正４】
【補正対象書類名】明細書
【補正対象項目名】０００８
【補正方法】変更
【補正の内容】
【０００８】
請求項２に係る発明は、請求項１に記載の内視鏡装置において、前記自動開放手段は、前記湾曲用電磁弁に設けられた開放ポートであり、この開放ポートは、電気遮断時に付勢手段により復帰して、前記ルーメンに連通されたポートを大気に開放することを特徴とする。
【手続補正５】
【補正対象書類名】明細書
【補正対象項目名】０００９
【補正方法】変更
【補正の内容】
【０００９】
この発明に係る内視鏡装置においては、電気遮断時には、開放ポートが付勢手段により復帰して、ルーメンに連通されたポートが大気に開放される。
以上より、内視鏡挿入部の湾曲状態をいち早く確実に解除することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
被清掃面に付着した塵埃等を吸引する為の電気掃除機に使用する電気掃除機用吸込具において、前記電気掃除機用吸込具は、紙あるいはポリエチレンテレフタレートにて形成された可撓性あるいは弾性を有する板状材を曲げるか折るかあるいは接合する事により所定形状の中空構造体が形成されてあると共に、前記中空構造体は塵埃吸引用の吸込口、及び前記電気掃除機に連通可能な接続部を有し、前記塵埃吸引時に前記中空構造体の内部に発生した負圧により前記中空構造体の所定形状が保持されてあることを特徴とする電気掃除機用吸込具。
【請求項２】
請求項１記載の構成よりなる電気掃除機用吸込具において、吸込口の近傍に不織布、織布、あるいは紙よりなる拭き部材が形成されてあることを特徴とする電気掃除機用吸込具。
【請求項３】
請求項１または２に記載の構成よりなる電気掃除機用吸込具において、互いの板状材あるいは板状材と拭き部材が接着剤、両面テープ、粘着テープ、ホッチキス、粘着剤、圧着、溶着、挟み込み、縫製のいずれかにて接合されてあることを特徴とする電気掃除機用吸込具。
【手続補正２】
【補正対象書類名】明細書
【補正対象項目名】０００７
【補正方法】変更
【補正の内容】
【０００７】
本発明にかかる電気掃除機用吸込具は、次のように構成したものである。
（１）被清掃面に付着した塵埃等を吸引する為の電気掃除機に使用する電気掃除機用吸込具において、前記電気掃除機用吸込具は、紙あるいはポリエチレンテレフタレートにて形成された可撓性あるいは弾性を有する板状材を曲げるか折るかあるいは接合する事により所定形状の中空構造体が形成されてあると共に、前記中空構造体は塵埃吸引用の吸込口、及び前記電気掃除機に連通可能な接続部を有し、前記塵埃吸引時に前記中空構造体の内部に発生した負圧により前記中空構造体の所定形状が保持されてあるものである。
【手続補正３】
【補正対象書類名】明細書
【補正対象項目名】０００８
【補正方法】変更
【補正の内容】
【０００８】
（２）上記（１）記載の電気掃除機用吸込具において、吸込口の近傍に不織布、織布、あるいは紙よりなる拭き部材が形成されてあるものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
（３）上記（１）あるいは（２）記載の電気掃除機用吸込具において、互いの板状材あるいは板状材と拭き部材が接着剤、両面テープ、粘着テープ、ホッチキス、粘着剤、圧着、溶着、挟み込み、縫製のいずれかにて接合されてあるものである。
【手続補正６】
【補正対象書類名】明細書
【補正対象項目名】００２０
【補正方法】変更
【補正の内容】
【００２０】
（１）本体、及び筒状体よりなる中空構造体は、材質としてポリエチレンテレフタレートが使用されてある可撓性あるいは弾性を有する板状材にて形成されてある。ポリエチレンテレフタレートは、透明性を有している為、電気掃除機用吸込具は、透明な中空構造体を形成する事ができる。その為、吸込口より吸引された塵埃等が、接続部へ運ばれていく状態を、視覚にて確認する事ができる。また、ポリエチレンテレフタレートは、リサイクル処理が可能である為、リサイクル可能なごみとして、処理する事ができる。
【手続補正７】
【補正対象書類名】明細書
【補正対象項目名】００２１
【補正方法】変更
【補正の内容】
【００２１】
（３）互いの板状材あるいは板状材と拭き部材の接合手段として、接着剤、両面テープ、粘着テープ、ホッチキス、粘着剤、圧着、溶着、挟み込み、縫製のいずれかの手段が採用されてある。接合手段として、接着剤、両面テープ、ホッチキス、圧着、溶着、縫製を採用した場合には、互いの板状材あるいは板状材と拭き部材を、接合ずれを発生する事無く、確実に接合する事ができる。また、接合手段として、粘着テープ、粘着剤、挟み込みを採用した場合には、必要に応じて、適時、接合を解除させる事ができる為、板状材、あるいは拭き部材の交換を、容易にできる。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
寝台と、
前記寝台の上に移動可能に支えられ、前記移動によりその上に載せられた被検体を撮影空間内へ移動するための天板と、
前記天板上に配置され、前記被検体から発生する磁気共鳴信号を受信するための受信コイルと、
前記受信コイルにより受信した磁気共鳴信号を信号検出器へ伝達するケーブルであって、前記受信コイルと前記信号検出器との間で前記寝台に中継部が設けられたケーブルと、
を備えた磁気共鳴イメージング装置において、
前記ケーブルに所定以上の力が加わったことを検出する手段を前記中継部あるいはその近傍に備えたことを特徴とする磁気共鳴イメージング装置。
【請求項２】
請求項１記載の磁気共鳴イメージング装置において、
前記検出手段は、前記ケーブルに所定以上の力が加わった場合に動作するスイッチを有することを特徴とする磁気共鳴イメージング装置。
【請求項３】
請求項２記載の磁気共鳴イメージング装置において、
前記スイッチはテープスイッチであることを特徴とする磁気共鳴イメージング装置。
【手続補正２】
【補正対象書類名】明細書
【補正対象項目名】０００８
【補正方法】変更
【補正の内容】
【０００８】
本発明によれば、寝台と、前記寝台の上に移動可能に支えられ、前記移動によりその上に載せられた被検体を撮影空間内へ移動するための天板と、前記天板上に配置され、前記被検体から発生する磁気共鳴信号を受信するための受信コイルと、前記受信コイルにより受信した磁気共鳴信号を信号検出器へ伝達するケーブルであって、前記受信コイルと前記信号検出器との間で前記寝台に中継部が設けられたケーブルと、を備えた磁気共鳴イメージング装置において、前記ケーブルに所定以上の力が加わったことを検出する手段を前記中継部あるいはその近傍に備えたことを特徴とする磁気共鳴イメージング装置が提供される。
【手続補正３】
【補正対象書類名】明細書
【補正対象項目名】００１６
【補正方法】変更
【補正の内容】
【００１６】
次に、上述のような一般的な構成を持つMRI装置において、本発明における受信コイル接続部保護機構の実施例１を以下に示す。先ず図2は、MRI装置における寝台に、受信コイル接続部を設けた場合の概観図であり、61は寝台、62は受信コイル接続部、23は患者を載せて移動させるための天板、24は磁石の一部、32は受信コイルで受信したNMR信号を伝達させるためのケーブルである。ただし、図2において破線は、寝台61内を通され、ケーブル32によって伝達されたNMR信号を後段の信号処理において用いるために増幅器15へ伝えるための配線を示している。通常MRI装置による撮影においては、患者を寝台の天板上に寝載しどの撮影部位を撮影するかを決定後、撮影位置まで移動させる。そして、移動させた後に受信コイルのケーブルを受信コイル接続部へ接続させる。
【手続補正４】
【補正対象書類名】明細書
【補正対象項目名】００２２
【補正方法】変更
【補正の内容】
【００２２】
本発明は上記実施例に限定されるものではなく、本発明の要旨を逸脱しない範囲で種々に変形して実施できる。例えば、上記実施例ではコネクタ接続部33を支えるためにコイルバネ34を用いたが、本発明はコイルバネに限らず板バネや皿バネ、弾性材料を用いても良い。また、本発明は上記実施例のように受信コイルを患者とともに撮影空間内へ移動させる場合のみならず、画像のチューニングや受信コイルのメンテナンスにあたって、患者を寝載せず、ファントームによる画像撮影を行なう場合があるが、そのような場合にも受信コイルを遠隔操作で撮影空間内へ移動させる場合があるので、本発明が適用できることは言うまでもない。また、遠隔操作で受信コイルを移動させる場合のみならず、手動で移動させる場合にも、操作者の不注意でケーブルが引っ張られる場合があるので、そのような場合にも本発明は適用できることは言うまでもない。また、テープスイッチを用いてケーブル32が引っ張られていることを検出するための構造の取り付け位置は、ケーブルの最も寝台側の受信コイル接続部62およびその近傍のみならず、ケーブル32のどの途中あるいは受信コイル側等、どこに取り付けても本発明の要旨を逸脱しないことは言うまでもない。
【手続補正５】
【補正対象書類名】図面
【補正対象項目名】図２
【補正方法】変更
【補正の内容】
【図２】
2006087766.tif 000001
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
複数の識別情報を連ねた識別情報列を表示する識別情報表示領域を備えるとともに、この識別情報表示領域は、所定の順序で回転する複数の識別情報列が停止した状態において複数の識別情報列の一部で大当たり状態が出現可能な複数の大当たり形成領域で構成されてなる識別情報表示装置を備えた遊技機において、
少なくとも２つの大当たり形成領域で一部が重複し、かつ、重複している大当たり形成領域の識別情報列のうち最後から２番目に停止するリーチ決定識別情報列が停止した場合に、各大当たり形成領域でリーチとなる可能性がある第１のリーチ発生条件を検出する検出手段と、
上記検出手段の検出結果に応じて、識別情報表示装置に、上記リーチ決定識別情報列がそれ以前に停止する識別情報列に比してゆっくり回転した後に停止する停止表示パターンの表示を行わせる識別情報列表示制御手段と、
を備えたことを特徴とする遊技機。
【請求項２】
上記検出手段は、第１のリーチ発生条件に加えて、識別情報列をゆっくり回転させた後に停止させることによりリーチとなる可能性がある大当たり形成領域以外の他の大当たり形成領域でリーチ状態となる第２のリーチ発生条件を検出し、第１のリーチ発生条件及び第２のリーチ発生条件の成立時に、上記識別情報列表示制御手段に検出信号を出力することを特徴とする請求項１記載の遊技機。
【請求項３】
上記検出手段は、第１のリーチ発生条件に加えて、１回の変動で最大３以上のリーチを形成しうる場合に３以上のリーチとなる可能性がある第３のリーチ発生条件を検出し、第１のリーチ発生条件及び第３のリーチ発生条件の成立時に、上記識別情報列表示制御手段に検出信号を出力することを特徴とする請求項１記載の遊技機。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
識別情報を表示するものであって２種以上の識別情報を連ねた識別情報列を少なくとも２列以上表示する表示装置と、所定の始動条件の成立を検出する検出手段と、その検出手段によって前記始動条件の成立が検出された場合に抽選を行う抽選手段と、前記表示装置に前記識別情報列の変動表示を行わせると共に、予め定めた有効領域に前記抽選手段による抽選結果に応じた前記識別情報の組合せを停留表示する変動実行手段と、前記抽選手段による所定の抽選結果の導出を条件として第１状態から遊技者にとって有利な第２状態に切り替わる可変入賞手段とを備え、前記有効領域に停留する識別情報の組合せにより前記抽選手段の抽選結果を示し、前記所定の抽選結果が導出されると前記有効領域に予め定めた識別情報の組合せを停留表示すると共に前記可変入賞手段によって遊技者に所定の遊技価値を付与する遊技機において、
前記表示装置は、前記識別情報列として、前記予め定めた識別情報の組合せを構成する主識別情報と、その組合せを構成しない副識別情報とを交互に表示し、
前記変動実行手段は、前記所定の抽選結果の導出に基づいて、前記有効領域に前記副識別情報を予め定めた組合せで停留表示させる第１変動表示と、その停留表示後に開始される変動表示であって特別の態様を伴う第２変動表示とを順に行うと共に、第１変動表示中にその他の表示を出現させ、この表示結果に基づいて第２変動表示に移行するか否かが決定され、且つ、第２変動表示に移行した場合には、第２変動表示の表示結果として前記主識別情報を前記予め定めた識別情報の組合せで停留表示させるものであることを特徴とする遊技機。
【請求項２】
前記副識別情報は複数種類の情報から成り、同一種の副識別情報が予め定めた表示状態となった場合にのみ前記第２変動表示に移行することを特徴とする請求項１記載の遊技機。
【請求項３】
前記第２変動表示は複数種類の変動表示を有し、第１変動表示が終了した後、前記複数種類の変動表示のうちの何れかの種類の第２変動表示に移行することを特徴とする請求項１又は２記載の遊技機。
【請求項４】
前記複数種類の変動表示は２種類あり、一方の変動表示では確実に大当たり状態となり、他方の変動表示では一定の割合で大当たり状態となることを特徴とする請求項３記載の遊技機。
【手続補正書】
【提出日】平成19年9月14日(2007.9.14)
【手続補正１】
【補正対象書類名】特許請求の範囲
【補正対象項目名】請求項１３
【補正方法】変更
【補正の内容】
【請求項１３】
前記オブジェクト情報には子オブジェクトの総数の情報が含まれ、子オブジェクト数を取得する際に子オブジェクトをカウントしないで、前記オブジェクト情報の子オブジェクトの総数情報を参照することで取得できることを特徴とする請求項１記載の撮像装置。
【手続補正２】
【補正対象書類名】特許請求の範囲
【補正対象項目名】請求項１４
【補正方法】変更
【補正の内容】
【請求項１４】
前記オブジェクト情報には全子オブジェクトのハンドルが連番であるかどうかを示す情報が含まれ、子オブジェクト全体のハンドルを取得する際、全子オブジェクトのハンドルが連番である場合に、子オブジェクトを検索せずに、計算により全子オブジェクトのハンドルを取得できることを特徴とする請求項１記載の撮像装置。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
入力信号の特性を分析する入力信号分析部と、
前記入力信号の分析結果に基づいて、入力信号の周波数成分間で発生するマスキングを低減させるよう左右の耳に異なる周波数特性の信号を与える周波数特性変更部と、
を備える音響処理装置。
【請求項２】
前記周波数特性変更部は、マスキングを起す周波数帯域成分とマスキングされる周波数帯域成分を左右の耳で分散させるよう左右の耳に異なる周波数特性の信号を与える
請求項１に記載の音響処理装置。
【請求項３】
前記周波数特性変更部は、マスキングされる周波数帯域成分に対してマスキングを起す周波数帯域成分を減少させるよう少なくとも一方の耳側の周波数特性を変更する
請求項１に記載の音響処理装置。
【請求項４】
前記周波数特性変更部は、
一方の耳側に対して、マスキングされる周波数帯域成分に対してマスキングを起す周波数帯域成分を減少させるよう周波数特性を変更し、
他方の耳側に対して、マスキングされる周波数帯域成分に対してマスキングを起す周波数帯域成分を増加させるよう周波数特性を変更する
請求項１に記載の音響処理装置。
【請求項５】
前記分析部は、入力信号の母音の種類を判別し、
前記周波数特性変更部は、前記母音の種類に応じて、入力信号の周波数成分間で発生するマスキングを低減させるよう左右の耳に異なる周波数特性の信号を与える
請求項１から４のいずれかに記載の音響処理装置。
【請求項６】
前記分析部は、入力信号のフォルマント周波数を検出し、
前記周波数特性変更部は、検出したフォルマント周波数に基づいて、入力信号の周波数成分間で発生するマスキングを低減させるよう左右の耳に異なる周波数特性の信号を与える
請求項１から４のいずれかに記載の音響処理装置。
【請求項７】
前記分析部は、入力信号の第１フォルマント周波数を検出し、
前記周波数特性変更部は、第１フォルマント周波数に基づいて、入力信号の周波数成分間で発生するマスキングを低減させるよう左右の耳に異なる周波数特性の信号を与える
請求項６に記載の音響処理装置。
【請求項８】
前記周波数特性変更部は、第１フォルマント周波数成分を、一方の耳側では通過させ、他方の耳側では遮断あるいは減衰させる
請求項７に記載の音響処理装置。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
無線基地局と、該無線基地局と隣接する第１の無線基地局と、該第１の無線基地局と隣接するが、該無線基地局とは隣接しない第２の無線基地局とを備えた移動通信ネットワークにおける該無線基地局において、
該第１の無線基地局が形成する無線エリアであって、該第２の無線基地局が形成する無線エリアと隣接するが、該無線基地局が形成する無線エリアと隣接しない無線エリア部分について無線信号を送信可能なアンテナが前記無線基地局に利用される場合に、該無線基地局の前記無線エリア内で送信される無線信号の周波数又は拡散コードとは異なる周波数又は拡散コードを適用した無線信号を前記アンテナから送信するように割り当てる割り当て手段、
を備えたことを特徴とする無線基地局。
【請求項２】
無線基地局と、該無線基地局と隣接する第１の無線基地局と、該第１の無線基地局と隣接するが、該無線基地局とは隣接しない第２の無線基地局とを備えた移動通信ネットワークにおける接続切替装置において、
該第１の無線基地局が形成する無線エリアであって、該第２の無線基地局が形成する無線エリアと隣接するが、該無線基地局が形成する無線エリアと隣接しない無線エリア部分について無線信号を送信可能なアンテナを前記無線基地局と接続されるように制御する切替手段、
を備えたことを特徴とする無線基地局。
【請求項３】
移動通信ネットワークシステムであって、
複数の無線基地局装置と、
複数のアンテナシステムと、
該複数の無線基地局装置と複数のアンテナシステムとの間の接続を切り替える接続切替装置と、
を備えることを特徴とする移動通信ネットワークシステム。
【請求項４】
前記複数のアンテナシステムの少なくとも一部が、前記移動通信ネットワークシステムのセルの境界付近に設置されると共に、
前記移動通信ネットワークシステムにおいて、境界付近にアンテナシステムが設置されたセルが過負荷状態となった時、前記複数の無線基地局装置のうちで負荷の軽い無線基地局装置と、該境界付近に設置されたアンテナシステムとを接続させるように前記接続切替装置を制御する切替制御手段をさらに備えることを特徴とする請求項３記載の移動通信ネットワークシステム。
【請求項５】
前記複数のアンテナシステムの少なくとも一部が、過負荷となることが予想されるスポットをカバーできるように設置されると共に、
前記移動通信ネットワークシステムにおいて、該スポットが過負荷状態となった時、前記複数の無線基地局装置のうちで負荷の軽い無線基地局装置と、該スポットをカバーできるように設置されたアンテナシステムとを接続させるように前記接続切替装置を制御する切替制御手段をさらに備えることを特徴とする請求項３記載の移動通信ネットワークシステム。
【請求項６】
前記複数のアンテナシステム、および複数の無線基地局装置が、前記移動通信ネットワークを構成するセルにそれぞれ対応するものであり、
前記移動通信ネットワークシステムにおいて、一部のセルが過負荷状態となった時、該過負荷となったセルに対応するアンテナシステムと、過負荷になっていないセルに対応する無線基地局装置のうちで負荷が軽い無線基地局装置とを接続させるように前記接続切替装置を制御する切替制御手段をさらに備えることを特徴とする請求項３記載の移動通信ネットワークシステム。
【請求項７】
前記複数のアンテナシステムの少なくとも一部が、適応的に指向性を変化できる指向性可変アンテナシステムであり、
前記移動通信ネットワークシステムにおいて、該システムのサービスエリア内の任意の位置に過負荷状態のスポットが生じた時、該スポットをカバーするように前記指向性を変化させた指向性可変アンテナシステムと、前記無線基地局装置のうちで負荷の軽い無線基地局装置とを接続させるように前記接続切替装置を制御する切替制御手段をさらに備えることを特徴とする請求項３記載の移動通信ネットワークシステム。
【請求項８】
前記複数の無線基地局装置が、前記移動通信ネットワークシステムを構成するセルに対応する装置と、対応するセルを持たない過負荷対策用の装置とを含むと共に、
前記移動通信ネットワークシステムにおいて、該過負荷対策用の無線基地局装置の少なくとも一部が、予め過負荷が予想されるセルをカバーするアンテナシステムに接続されるように前記接続切替装置を制御する切替制御手段をさらに備えることを特徴とする請求項３記載の移動通信ネットワークシステム。
【請求項９】
ビル内、地下街を含む閉空間の内部で通信が行われる移動通信ネットワークシステムであって、
複数の無線基地局装置と、
複数のアンテナシステムと、
該複数の無線基地局装置と、複数のアンテナシステムとの間の接続を切り替える接続切替装置と、
を備えることを特徴とする移動通信ネットワークシステム。
【請求項１０】
移動通信ネットワークシステムであって、
複数の無線基地局装置のそれぞれの同一構成部分の複数と、
それぞれアンテナシステムと接続され、該同一構成部分を除く、各無線基地局装置の残りを構成する残りの構成部分の複数と、
該同一構成部分の複数と、該残りの構成部分の複数との間の接続を切り替える接続切替装置と、
を備えることを特徴とする移動通信ネットワークシステム。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
注目画素におけるノイズ量を推定するノイズ量推定手段と、
前記注目画素を平滑化する平滑化手段と、
前記ノイズ量及び前記注目画素とその近傍画素の情報に基づいて、前記平滑化手段を制御する制御手段と、
を具備することを特徴とするノイズ低減装置。
【請求項２】
前記平滑化手段は、注目画素及び近傍画素の信号値を加算平均するフィルタ処理手段を有し、前記制御手段は、前記フィルタ処理手段で用いるフィルタ係数を前記ノイズ量及び前記注目画素と近傍画素の信号値差に基づき設定する係数設定手段を有することを特徴とする請求項１記載のノイズ低減装置。
【請求項３】
前記係数設定手段は、注目画素以外の近傍画素に対するフィルタ係数をノイズ量に対する増加関数として算出する係数算出手段を有することを特徴とする請求項２記載のノイズ低減装置。
【請求項４】
前記係数設定手段は、注目画素以外の近傍画素に対するフィルタ係数を注目画素と近傍画素の信号値差に対する減少関数として算出する係数算出手段を有することを特徴とする請求項２記載のノイズ低減装置。
【請求項５】
前記制御手段は、注目画素近傍が平坦部かエッジ部かを前記ノイズ量を基に判断する判断手段を有し、
前記平滑化手段は、注目画素近傍が平坦部である場合に行なわれる平坦部処理手段と、注目画素近傍がエッジ部である場合に行なわれるエッジ部処理手段とを有することを特徴とする請求項１記載のノイズ低減装置。
【請求項６】
前記エッジ部処理手段は、前記ノイズ量を基に注目画素と信号値が類似する近傍画素を検出する類似画素検出手段と、前記類似画素及び注目画素の信号値を用いて処理を行なう類似画素間処理手段を有することを特徴とする請求項５記載のノイズ低減装置。
【請求項７】
前記ノイズ量推定手段は、注目画素におけるノイズ推定用の信号値レベルを、注目画素及びその近傍画素の信号値より算出する信号値レベル算出手段を有することを特徴とする請求項１記載のノイズ低減装置。
【請求項８】
前記ノイズ量推定手段は、前記撮像素子の温度を測定する温度測定手段を有することを特徴とする請求項７記載のノイズ低減装置。
【請求項９】
前記ノイズ量推定手段は、前記撮像素子中のＯＢ(Optical Black)領域の信号の分散を求めるＯＢ分散算出手段と、前記分散から撮像素子の温度を推定する温度推定手段とを有することを特徴とする請求項７記載のノイズ低減装置。
【請求項１０】
前記ノイズ量推定手段は、撮像信号に対するゲイン情報を取得するゲイン情報取得手段を有することを特徴とする請求項７〜９のいずれか１つに記載のノイズ低減装置。
【請求項１１】
前記注目画素近傍の方向性のレベルを判断する方向性判断手段を更に備え、前記制御手段において更に前記方向性のレベルに基づいて前記平滑化手段を制御することを特徴とする請求項１記載のノイズ低減装置。
【請求項１２】
前記注目画素近傍が特定色であるか否かを判断する特定色判断手段を更に備え、前記制御手段において更に前記特定色の情報に基づいて前記平滑化手段を制御することを特徴とする請求項１記載のノイズ低減装置。
【手続補正２】
【補正対象書類名】明細書
【補正対象項目名】００１１
【補正方法】変更
【補正の内容】
【００１１】
また、本発明の第５の態様によれば、第１の態様において、前記制御手段は、注目画素近傍が平坦部かエッジ部かを前記ノイズ量を基に判断する判断手段を有し、前記平滑化手段は、注目画素近傍が平坦部である場合に行なわれる平坦部処理手段と、注目画素近傍がエッジ部である場合に行なわれるエッジ部処理手段とを有する。
【手続補正書】
【提出日】平成19年9月3日(2007.9.3)
【手続補正１】
【補正対象書類名】明細書
【補正対象項目名】０００３
【補正方法】変更
【補正の内容】
【０００３】
従来、様々なオリゴ糖が腸内ビフィズス菌増殖因子や体脂肪蓄積抑制因子として使用されているが（非特許文献１〜６、特許文献１）、これらのオリゴ糖はいずれも糖であるがゆえに多少とも甘味を有している。しかし、肥満や糖尿病の忌避から甘味に対して良くないイメージを保持する消費者もいる。従って、甘味以外に例えば酸味等の味覚を有するビフィズス菌増殖因子を提供することは、市場的意義が大きい。さらに、体脂肪蓄積抑制効果を強調して販売する場合、甘味とは異なる味覚が、一般に消費者に受け入れられ易い。
【手続補正２】
【補正対象書類名】明細書
【補正対象項目名】００２１
【補正方法】変更
【補正の内容】
【００２１】
脱色、脱塩処理の有無を問わず、クロマトグラフィー分離処理に供する混合糖液中の固形分濃度は、操作上許容を得る範囲でできるだけ高い方が好ましい。通常は固形分濃度５０重量％以上の糖液を用い、特に６０±５重量％のものを用いることが望ましい。また、糖液の温度は、微生物の増殖を防止しかつ粘度を低下させるためにも、できるだけ高い方が望ましいが、糖液が着色し易い性質の場合は、温度を上げすぎないように注意する必要がある。通常は６０〜７０℃で糖液及び水をクロマトグラフィー装置に供給する。
【手続補正書】
【提出日】平成19年8月15日(2007.8.15)
【手続補正１】
【補正対象書類名】特許請求の範囲
【補正対象項目名】請求項８
【補正方法】変更
【補正の内容】
【請求項８】
請求項７に記載の形質転換体を培地に培養し、得られる培養物から発現させたタンパク質を採取することを特徴とする、請求項１〜３のいずれかに記載のタンパク質の製造方法。
【手続補正書】
【提出日】平成19年7月17日(2007.7.17)
【手続補正１】
【補正対象書類名】明細書
【補正対象項目名】００３０
【補正方法】変更
【補正の内容】
【００３０】
なお、ノズル４の吸引口の形状は図１（ｂ）及び（ｃ）に示すような矩形以外に、円形、楕円形等が使用できる。要するに、第一加熱装置４より上昇してくる油煙が糸道ガイド３に接触して油剤成分が付着しないように、吸引することが肝要であって、このような機能を果たすことができるものであれば、図示したもの以外の形状を任意に選択できる。